(57)【要約】 【課題】木質板の消費量を少なくし、且つ十分な強度を確保することができる弾球遊技機用遊技板を提供する。【解決手段】遊技板を、画像表示装置の取付孔２１が設けられた木質製の遊技領域板２と、画像表示装置の取付孔３１が設けられ遊技領域板２が嵌め込まれる樹脂製の取付基板５とにより構成する。遊技領域板２を、複数の構成片２２、２３、２４からなるものとして、構成片２３、２４のうちの少なくとも一部を、取付孔２１の形成に伴って切除される部分から採取する。また、取付基板５を、遊技領域板２が固定される主基板３と、主基板３と合体して主基板３の表側面を装飾する副基板４とからなるものとして、主基板３と副基板４の少なくとも一方に、補強用のリブ４１を設ける。【選択図】図１
2008061950.tif 000002
【特許請求の範囲】
【請求項１】
板面に画像表示装置の取付孔が設けられた木質製の遊技領域板と、
板面に画像表示装置の取付孔が設けられ、前記遊技領域板が嵌め込まれる樹脂製の取付基板とからなることを特徴とする弾球遊技機用遊技板。
【請求項２】
遊技領域板は、木質板から切り出された複数の構成片からなり、構成片のうちの少なくとも一部が、取付孔形成に伴って切除される部分から採取されたものである請求項１に記載の弾球遊技機用遊技板。
【請求項３】
取付基板は、遊技領域板が固定される主基板と、主基板と合体して主基板の表側面を装飾する副基板とからなる請求項１に記載の弾球遊技機用遊技板。
【請求項４】
主基板と副基板の少なくとも一方に、補強用のリブを設けた請求項３に記載の弾球遊技機用遊技板。
【発明の詳細な説明】
【技術分野】
【０００１】
本発明は、弾球遊技機に使用される遊技板に関するものである。
【背景技術】
【０００２】
従来から弾球遊技機の遊技板として、遊技釘の打ち込みが容易で且つ強固に保持することができる合板などの木質板が用いられてきた。木質板として一枚板が用いられ、その中央部分には、図１０に示すような画像表示装置（液晶表示装置）を取り付けるための取付孔１１が開けられる。この取付孔１１を取り囲むように、略円形状にガイドレール１２が配置され、球が打ち込まれて遊技を行う遊技領域１３が形成されていた。
【０００３】
近年、遊技の興趣を盛り上げるために画像表示装置の大型化が進み、これに伴って取付孔１１も大きなものとなってきた。そのため、孔開けによって切除される部分が大きくなって、木質板の無駄になる部分が増大してきた。このような木質板の浪費は、資源有効利用の観点から好ましいものではない。
【０００４】
また、画像表示装置の大型化に伴って取付孔１１を大きくすると取付孔１１を横断する箇所の遊技板の横断面積が小さくなって強度が低下してしまう。したがって、画像表示装置の重量を支えるために容易に撓んだりすることがない頑丈な遊技板が必要となるが、従来の遊技板においては強度の確保が困難であって画像表示装置の大型化にも限界があった。
【特許文献１】特開２００２−１５３６１０号公報  (図１)
【発明の開示】
【発明が解決しようとする課題】
【０００５】
本発明は、上記した従来の問題点に鑑み、木質板の消費量を少なくし、且つ十分な強度を確保することができる遊技板を提供することを課題とする。
【課題を解決するための手段】
【０００６】
上記の課題を解決するためになされた本発明の弾球遊技機用遊技板は、板面に画像表示装置の取付孔が設けられた木質製の遊技領域板と、
板面に画像表示装置の取付孔が設けられ、前記遊技領域板が嵌め込まれる樹脂製の取付基板とからなることを特徴とするものである。
【０００７】
この発明において、遊技領域板は、木質板から切り出された複数の構成片からなり、構成片のうちの少なくとも一部を、取付孔形成に伴って切除される部分から採取するのが望ましい。
【０００８】
また、上記した発明において、取付基板は、遊技領域板が固定される主基板と、主基板と合体して主基板の表側面を装飾する副基板とからなるものとすることができるし、主基板と副基板の少なくとも一方に、補強用のリブを設けることもできる。
【発明の効果】
【０００９】
請求項１に係る発明は、取付基板に嵌め込まれる遊技領域板のみを木質板とするので、その分木質板を小さくすることができて木質資源の消費を節約できる。
請求項２に係る発明は、従来は廃棄処分していた木質板の取付孔部分を、遊技領域板の構成片として用いるので、木質資源を有効に活用でき、材料に掛かるコストも低く抑えることができる。
請求項３に係る発明は、装飾の施される副基板のみを取り替えることによって、遊技板の装飾態様を容易に変化させることができる。
請求項４に係る発明は、リブによって取付基板に空隙部を設けるので、強度の確保と軽量化を図ることができる。
【発明を実施するための最良の形態】
【００１０】
以下に、本願発明の実施形態について説明する。
図１、２は、第１の実施形態の遊技板を示す分解斜視図である。図中２は略円形に形成された木質製の遊技領域板、３は樹脂製の主基板、４は樹脂製の副基板であって、主基板３と副基板４とが組み合わされて一組の取付基板５が構成される。
【００１１】
遊技領域板２は、板面の中程に画像表示装置の取付孔２１が設けられているが、この遊技領域板２は、下部構成片２２と、右上部構成片２３と、左上部構成片２４との、複数の構成片とからなる。遊技領域板２は、後述するガイドフレームに取り囲まれて、弾球が落下したり入賞したりする遊技領域を構成するものである。
【００１２】
合板などの一枚板から各構成片２２〜２４を採取するに際しては、図３に示すように、右上部構成片２３と左上部構成片２４との一部が、取付孔形成部分２５に食い込むようにして、輪郭取りする。そして、その輪郭に沿って切り込むことによって、図４のような構成片２２〜２４を採取することができる。このように構成片２３、２４を取付孔形成部分２５に食い込ませて切り出すことによって、従来は廃棄されていた当該部分を有効に利用することで、従来と比較して面積の小さな一枚板を用いることができる。つまり、大きな一枚板を用いなくてもよいので、材料に掛かるコストが低く抑えられる。また、構成片を小さくした場合には、その構成片を取付孔形成部分２５のみから切り出すこともできる。
【００１３】
主基板３は、遊技領域板２と同じ形状である画像表示装置の取付孔３１を有している（図１、２）。また、外周には角形の外側フレーム３２を備え、主基板３の表側面（遊技者に向き合う側の面）で取付窓３１と外側フレーム３２との間には、遊技領域板２を嵌め込むための略円形状の内側フレーム３３が設けられている。また、主基板３には、複数のネジ穴３４が設けてある。
【００１４】
副基板４は、表側面に装飾（図示されていない）が施され、裏側面（遊技者と反対側の面）には補強用のリブ４１が格子状に設けられている。リブ４１の間は空隙となっているので軽量化を図ることができる。また、副基板４は、中央に遊技領域板２に対応する形状に設けた大きな挿通孔４２を有し、この挿通孔４２の周囲には、遊技時に弾球を遊技領域板２の板面に導くガイドレール１２が配設されている。
【００１５】
副基板４には、装飾としてランプカバー等（図示されていない）を一体に成形することも可能である。こうすることにより、副基板４を変更するだけで異なる機種間での主基板３の共有化を図り、コストの低減が可能となる。また、ランプカバー等を別途副基板４に取り付ける必要がないため、金型の数及び組み立て工数の増加を抑え、コストを減らすことが可能となる。そのため、リブ４１は主基板３に設けることが望ましい。
【００１６】
以上のような遊技領域板２と主基板３と副基板４とを組み合わせるにあたっては、例えば、先ず、遊技領域板２を主基板３の円形状フレーム３３の中に嵌め込む。次いで、ビスをネジ穴３４にねじ込んで遊技領域板２を主基板３に固定する。そして、主基板３と副基板４とを合体させれば図５に示すような遊技板を構成することができる。なお、あらかじめ主基板３と副基板４とを合体したうえ、副基板４の挿通孔４２を通って遊技領域板２を主基板３の円形状フレーム３３に嵌め込んでネジ止めすることによっても、遊技板を構成することができる。また、ネジ止めに替えて、ボスとボス穴とによっても主基板３に遊技領域板２を固定することができる。
【００１７】
また、図３のような一枚板から図４のように各構成片を切り出し、これらからなる遊技領域板２と主基板３と副基板４とを組み合わせる。その後、絵柄が印刷されたセルシートを貼り、最後にガイドレール１２等を取り付けることで、図５のように完成させることができる。この方法は、遊技領域板２を構成する各構成片２２〜２４の間の継ぎ目を視認することができないので、見栄え上好ましい。一方、この組み立て方法に限定されることなく、図３のような一枚板の状態においてこれにセルシートを貼り、その後、図４のように各構成片２２〜２４を切り出し、次いで、主基板３と副基板４とを組み合わせて図５のように完成させることもできる。
【００１８】
以上のように構成されたものにおいては、主基板３の板面と遊技領域板２の板面とが面で接触するので、ゆがみや変形を防止して遊技板全体の平坦度を容易に確保することができる。また、主基板３の裏側面は平坦になっているので、前記ビスとして皿ビスを用いれば、従来と同様に、この裏側面を球通路の壁として使用することもでき、従来の枠や裏部品をそのまま使うことができる。
【００１９】
図６には、第２の実施形態の遊技板の分解斜視図を示す。
この実施形態においては、遊技領域板２には、板面の一側から大きく食い込んで画像表示装置の取付孔２６が凹状に形成されている。この遊技領域板２は、画像表示装置とその関連機器が遊技領域板２の右方に配設されるので、略右向きのＵ字形となっている。遊技領域板２は、下部構成片２７と、上部構成片２８と、左肩部構成片２９との、複数の構成片からなる。
【００２０】
合板などの一枚板から各構成片２７〜２９を採取するに際しては、例えば図７に示すように、上部構成片２８の全体を取付孔形成部分３０に位置させ、且つ左肩部構成片２９の一部を取付孔形成部分３０に食い込むようにして、輪郭取りする。そして、その輪郭に沿って切り込むことによって、図８のような構成片２７〜２９を採取することができる。このように構成片２３、２４を取付孔形成部分３０に位置させたりして切り出すことによって、従来は廃棄されていた当該部分を有効に利用することができる。
【００２１】
主基板３には、画像表示装置の取付孔３１が設けられている（図６）。また、外周には角形の外側フレーム３２を備え、主基板３の表側面には遊技領域板２を嵌め込む形状に形成した内側フレーム３３が設けられている。また、外側フレーム３２と内側フレーム３３との間には、格子状のリブ４１が配設されている。
【００２２】
副基板４は、中央に遊技領域板２と画像表示装置とが挿通可能な大きな挿通孔４２が設けられ、この挿通孔４２の周囲の一部にはガイドレール１２が配設されている。
【００２３】
以上のような遊技領域板２と主基板３と副基板４とを組み合わせることによって、図９に示すような遊技板を構成することができる。なお、リブ４１の形状は、実施例の如く格子状である必要はなく、より強固なハニカム構造であることが望ましい。しかし、これらに限定されるものではなく、その他の形状、例えば三角形状や円形状であってもよい。
【００２４】
以上に説明したように、本発明の遊技板は、従来よりも面積の小さい木質板を用いることができるので、木質板の消費を減少させて環境保全に資することができる。また、取付基板を、リブを有する樹脂製のものとしたので、遊技板としての強度を確保したうえで軽量化を図ることができるという効果をも奏する。
【図面の簡単な説明】
【００２５】
【図１】第１の実施形態の遊技板を正面から示す分解斜視図である。
【図２】第１の実施形態の遊技板を背面から示す分解斜視図である。
【図３】遊技板構成片の位置取りを示す一枚板の斜視図である。
【図４】切り出された遊技板構成片の斜視図である。
【図５】組み合わされた遊技板の斜視図である。
【図６】第２の実施形態の遊技板を正面から示す分解斜視図である。
【図７】遊技板構成片の位置取りを示す一枚板の斜視図である。
【図８】切り出された遊技板構成片の斜視図である。
【図９】組み合わされた遊技板の斜視図である。
【図１０】画像表示装置の取付孔を設けた一枚板の斜視図である。
【図１１】従来の遊技板の斜視図である。
【符号の説明】
【００２６】
２  遊技領域板、３  主基板、４  副基板、５  取付基板、２１  画像表示装置の取付孔、２２  下部構成片、２３  右上部構成片、２４  左上部構成片、３１  画像表示装置の取付孔、４１  リブ
【図１】
2008061950.tif 000003
【図２】
2008061950.tif 000004
【図３】
2008061950.tif 000005
【図４】
2008061950.tif 000006
【図５】
2008061950.tif 000007
【図６】
2008061950.tif 000008
【図７】
2008061950.tif 000009
【図８】
2008061950.tif 000010
【図９】
2008061950.tif 000011
【図１０】
2008061950.tif 000012
【図１１】
2008061950.tif 000013